(57)【要約】【課題】軽量であって保水性に優れ、自然環境に優しくリサイクルが可能にして、屋上、その他の所定区域を緑化するに好適な緑化資材及び該緑化資材を用いた緑化工法を提供する。【解決手段】杉材を切断して粒度３ｍｍ〜１０ｍｍの杉材チップを形成し、該杉材チップを屋上、その他の所定区域に敷き詰めて植生基盤を造成するようになしたことを特徴とし、また、杉材チップからなる緑化資材を建造物の屋上、その他の所定区域に敷き詰めて散水しながら厚さ１０〜５０ｃｍに押圧して植生基盤を造成し、該植生基盤上に芝、草木等を植栽することを特徴とする。【選択図】          図１
2004229569.tif 000002
【特許請求の範囲】
【請求項１】
杉材を切断して粒度３ｍｍ〜１０ｍｍの杉材チップを形成し、該杉材チップを屋上、その他の所定区域に敷き詰めて植生基盤を造成するようになしたことを特徴とする緑化資材。
【請求項２】
前記杉材チップをその木口面に於いて導管又は仮導管の断面が実質的に破壊されていない杉材チップとその木口面に於いて導管又は仮導管の断面が実質的に破壊されている杉材チップを重量比で１：９〜９：１の割合に混合してなる請求項１に記載の緑化資材。
【請求項３】
前記杉材チップを水晒しした上で含水率３５〜８５％に水分調整してなる請求項１又は請求項２に記載の緑化資材。
【請求項４】
杉材チップからなる緑化資材を建造物の屋上、その他の所定区域に敷き詰めて散水しながら厚さ１０〜５０ｃｍに押圧して植生基盤を造成し、該植生基盤上に芝、草木等を植栽することを特徴とする緑化工法。
【発明の詳細な説明】
【０００１】
【発明が属する技術分野】
本発明は、建造物の屋上、その他の所定区域を緑化するに好適な緑化資材及びその緑化資材を使用する緑化工法に関するものである。
【０００２】
【従来の技術】
近時、所謂ヒートアイランド現象が大きく環境問題として採り上げられるに伴って屋上緑化が注目されるようになってきている。そして、従来の緑化資材としては、特開２００２−１０１７５３号公報にみられるように、土壌、化学肥料、バーク堆肥、他を混合してなるものが提案されているが、かかる緑化資材は重量が嵩むと共にバーク堆肥を用いるものであることから、通常数ヶ月に亘るバーク堆肥を熟成発酵させるための長い工期を要すると共にその期間のメンテナンスをも要し、又、発酵臭の発生を伴って周囲の人間生活環境を害するおそれもあって、屋上緑化に有効に資するものではなかった。
【０００３】
【発明が解決しようとする課題】
本発明は、如上の問題点に鑑みこれを解消すべく案出したものであって、軽量であって保水性に優れ、自然環境に優しくリサイクルが可能にして、屋上、その他の所定区域を緑化するに好適な緑化資材及び該緑化資材を用いた緑化工法を提供することを目的とするものである。
【０００４】
【課題を解決するための手段】
上記目的を達成するための本発明の構成を実施の形態を用いて説明すると、本発明の緑化資材は、杉材を切断して粒度３ｍｍ〜１０ｍｍの杉材チップを形成し、該杉材チップを所定区域に敷き詰めて植生基盤を造成するようになしたことを主要な特徴とするものである。
【０００５】
前記杉材チップは、その木口面に於いて導管又は仮導管の断面が実質的に破壊されていない杉材チップとその木口面に於いて導管又は仮導管の断面が実質的に破壊されている杉材チップを重量比で１：９〜９：１の割合に混合してなるものがより有効である。
【０００６】
更に、前記杉材チップは、水晒しした上で含水率３５〜８５％に水分調整してなるものがより有効である。
【０００７】
そして、本発明の緑化工法は、杉材チップからなる緑化資材を建造物の屋上、その他の所定区域に敷き詰めて散水しながら厚さ１０〜５０ｃｍに押圧して植生基盤を造成し、該植生基盤上に芝、草木等を植栽することを特徴とするものである。
【０００８】
【発明の実施の形態】
以下、本発明の実施の形態を実施例に基づいて説明する。
【０００９】
本発明緑化資材で用いられる杉材チップは、軽量でありかつ高い保水率を有する杉材を粒度３ｍｍ〜１０ｍｍの細片に切断したものである。杉材チップは、粒径分布が均質、均一で構成される多孔質である。細片の密度は、約２０％で、その含水比は非常に高く、ある圧力で固めると、容積の３倍の水量を保水すると共に浸潤、給水された水分は、一定期間保水される性質を有する。
【００１０】
該杉材チップは、杉材をその元となる杉材の軸方向に対して約４０°から約６０°程度の範囲の角度に設定した複数の刃と約０°から約３０°程度の範囲の角度に設定した複数の刃を組み合わせてセットしてなる丸鋸等の切削機を用いて、約１８００回転／分から約２０００回転／分という高速回転で切削する方法により製造すれば、その木口面に於いて導管又は仮導管の断面が実質的に破壊されていない杉材チップとその木口面に於いて導管又は仮導管の断面が実質的に破壊されている杉材チップを重量比で１：９〜９：１の割合に混合してなる杉材チップを効率よく得ることができる。尚、その木口面において導管又は仮導管の断面が実質的に破壊されていない杉材チップとその木口面に於いて導管又は仮導管の断面が実質的に破壊されている杉材チップとの重量比を変更するには、杉材の軸方向に対する刃の角度、刃の数等を適宜に変更することによって行うことができる。
【００１１】
ここで、「木口面において導管又は仮導管の断面が実質的に破壊されていない」とは、例えば、杉材チップの表面が図１乃至図３に示したような状態であるものを意味し、導管又は仮導管の木口面に現れる断面が実質的に閉ざされることなく、液体を比較的容易に通導できる機能を有するものをいう。
導管又は仮導管の木口面に現れる各断面の大きさとしては、例えば、直径として約１０マイクロｍから５００マイクロｍ、好ましくは約１０マイクロｍから１００マイクロｍ程度になるものが適している。
また、「木口面において導管又は仮導管の断面が実質的に破壊されている」とは、杉材チップの表面が潰れて、導管又は仮導管の木口面に現れる断面が実質的に閉ざされており、液体を比較的容易に通導しない機能を有するものをいう。
木材細片の比重は、約０．３から０．７（ｇ／立方センチ）程度であればよく、好ましくは約０．３から０．５（ｇ／立方センチ）程度であると、より優れた効果を得ることができる。
このような木口面において導管又は仮導管の断面が実質的に破壊されていない杉材チップと木口面において導管又は仮導管の断面が実質的に破壊されている杉材チップを１：９〜９：１の割合に混合してなる杉材チップを用いることにより、本発明緑化資材は優れた保水性、更に時間と共に自然に排水する排水性をも兼ね備えた特性を有し、その上に好気性微生物及び嫌気性微生物の双方の作用を活性させることによって最適な植生環境を創生する優れた性質を備える。
【００１２】
上記の如くなる杉材チップを水槽に入れて約２日間水晒しして、リグニン、ペントザン、セルロール等を適度に除去する。その上で、杉材チップを水分調整して、最適な水分率３５〜８５％に設定する。
これによって、杉材チップ内部の繊維空隙を多くとることができ、杉材チップの優れた保水率を更に高めることができると共に水分、空気への接触面積等を増加させて微生物の活性を補助して内腐敗菌の増殖を抑制して腐敗せず、一般土壌に比べ酸化しづらく植物の成長を促進することができる。
【００１３】
次に、上記の如くなる杉材チップを用いた緑化工法を例示すると、建築物の屋上、その他の所定区域に対し、先ず、必要に応じて防水、防根剤をもって下地施工する。次に、上記の如くなる杉材チップを厚さ１ｃｍから５ｃｍ程度ずつ敷き詰め、これに散水しながらある程度の圧力をかけて押圧し固めてゆく。その圧力は０．１９５ｇ／立方ｃｍ程度が最も好適であり、これは略人間が足で踏み固める程度である。このようにして、厚さ１０ｃｍから２０ｃｍ、場合によって厚さ１０ｃｍから５０ｃｍ程度に必要に応じて設定して、ほとんど工期を要することなく、又、発酵臭の発生なく人間生活環境を害するおそれなく、きわめて手軽に植生基盤を造成することができる。
【００１４】
杉材チップを適度に押し固めることによって、植生基盤全体の保水性を高めると共にその内部の水の流れを平均化することができ、かつ植物の根を保持させることができる。
従って、植生基盤を構成する杉材チップ内部の温度上昇を抑制、平均化して所謂ヒートアイランド現象を未然に防止でき、植物の好適な生息環境を造成、保持することができる。
このようにしてなる植生基盤に芝生を張ったり、草木を植栽する。
【００１５】
芝生による緑化は、夏には、芝生の発する気化熱は、屋上等温度の上昇を抑えると共に冬には、その光合成の代謝熱による保温作用で、温度の下降を抑え、一年を通じて屋上等の温度をある一定の状態に近く保つことが可能である。
【００１６】
上記した杉材チップで構成した植生基盤には、土壌菌を投入することがより効果的である。土壌菌と呼ばれる微生物は、土壌から得られる複数種の好気性微生物が適している。必要に応じて通性嫌気性微生物や嫌気性微生物を共に用いることもできる。これら微生物を人為的環境条件下にて増殖培養して得られる微生物群として用いることも可能である。これら微生物は、例えば、山林、畑地、魚介類加工場、豚舎、牛舎、鶏舎、漁港、魚市場、青果園、青果市場、糞尿処理場、食品加工場、化学工場等から採取された土壌、即ち、多くの微生物群が長年にわたり有機物を分解し続け存在している土壌から通常の方法により採取した微生物を、例えば、通気条件下で液体培養、半固体又は固体培養等の人為的環境条件下での増殖培養を行い、あるいは、それぞれの微生物を選択的に増殖培養し、効率よく調製することができる。
更に、微生物群のうち、高温菌（５５℃以上の温度範囲で繁殖可能なもの）の存在割合を３割以下に調製することが好ましい。
【００１７】
【発明の効果】
本発明は、以上説明した如くなるものであり、本発明の請求項１に記載の緑化資材は、天然にして軽量な杉材を用いているため、自然に優しくリサイクルが可能であり、荷重制限ある屋上等の緑化に好適であると共にきわめて保水性に優れ、時間と共に自然に排水する特性を有し、植物の生息環境である最適な植生基盤を容易に造成、維持することができる。そして、植生基盤を構成する杉材チップ内部の温度上昇を抑制、平均化して所謂ヒートアイランド現象を未然に防止でき、屋上、その他所定区域の緑化を達成することができる。
【００１８】
また、請求項２に記載の緑化資材は、更に、好気性微生物及び嫌気性微生物の双方の作用を活性させることによって最適な植生環境を創生する優れた性質を備える利点を有する。
【００１９】
請求項３に記載の緑化資材は、更にまた、杉材チップ内部の繊維空隙を多くとることができ、杉材チップの優れた保水率を更に高めることができると共に水分、空気への接触面積等を増加させて微生物の活性を補助して内腐敗菌の増殖を抑制して腐敗せず、一般土壌に比べ酸化しづらく植物の成長を促進することができる利点を有する。
【００２０】
請求項４に記載の緑化工法によって、杉材チップを用いる植生基盤を手軽に造成でき、
建造物の屋上、その他所定区域の緑化を容易に達成することができる。
【図面の簡単な説明】
【図１】木口面において導管又は仮導管の断面が実質的に破壊されていない杉材チップの１００倍率の電子顕微鏡写真である。
【図２】木口面において導管又は仮導管の断面が実質的に破壊されていない杉材チップの１０００倍率の電子顕微鏡写真である。
【図３】木口面において導管又は仮導管の断面が実質的に破壊されていない杉材チップの４０００倍率の電子顕微鏡写真である。
【図１】
2004229569.tif 000003
【図２】
2004229569.tif 000004
【図３】
2004229569.tif 000005